(57)【要約】【課題】役物軸機構の趣向性を高めた演出を可能とし、スペースを小さくし、部品点数を低減する。【解決手段】第１軸２に沿って直線的な往復運動である可動１を行う第１可動部３と、第１可動部３を駆動する駆動部４と、第１可動部３の可動１に伴い可動２を行いながらそれぞれ第２軸８の回りで回動運動を行う可動２を行う複数の可動部５１〜５３を備えた第２可動部５と、第１可動部３から第２可動部５に力を伝達することにより第２可動部５の可動を生じさせる駆動力伝達機構と、を備え、この駆動力伝達機構が、第１可動部３に設けられ相互に相違する形態の複数の雌部６と、第２可動部５に設けられ複数の雌部６と協働して摺動を行う雄部７と、を備え、第１可動部３の可動１に伴い、雌部６の相違する形態に応じて、第２可動部５の複数の可動部５１、５２と５３とが相違する独立的な可動２を個々に行う。【選択図】        図１
2009172062.tif 000002
【特許請求の範囲】
【請求項１】
第１軸に沿って可動１を行う第１可動部と、
該第１可動部の前記可動１を生じさせるように前記第１可動部に駆動力を供給する駆動部と、
前記可動１に応じて可動２を行う複数の可動部を有する第２可動部と、
前記第１可動部から前記第２可動部に力を伝達する駆動力伝達機構と、を備え、
前記駆動力伝達機構が、
前記第１可動部又は第２可動部のいずれか一方に設けられ、全部又は一部が相互に相違する形態の複数の雌部と、
前記第１可動部又は第２可動部のいずれか他方に設けられ、前記複数の雌部とでそれぞれ摺動を行う複数の雄部と、を備え、
前記雌部と雄部の摺動により、前記第２可動部の複数の可動部が相違する前記可動２を行うことを特徴とするパチンコ遊技機の役物軸機構。
【発明の詳細な説明】
【技術分野】
【０００１】
本発明は、パチンコ遊技機の役物軸機構、特に、軸によって役物の複数の可動部を駆動するパチンコ遊技機の役物軸機構に関する。
【背景技術】
【０００２】
従来、特許文献１〜１２に示す通り、モータ等の駆動源と歯車等の伝達機構とを用いて、駆動源の動力を役物の可動部に伝達し、この可動部の動きにより遊技の演出を行い、趣向性を確保している。
【０００３】
【特許文献１】特開２００６−７５２１３号公報
【特許文献２】特開２００４−１２９８７５号公報
【特許文献３】特開２００６−１４２０６２号公報
【特許文献４】特開２００６−１４８３４号公報
【特許文献５】特開２００５−１１０７１５号公報
【特許文献６】特開２００４−１４１２１９号公報
【特許文献７】特開２００６−２１８０００号公報
【特許文献８】特開２００６−３３４１７９号公報
【特許文献９】特開平８−１９１９３４号公報
【特許文献１０】特開２００６−１８１０２６号公報
【特許文献１１】特開２００６−４２９０５号公報
【特許文献１２】特開２００４−２８３２３０号公報
【発明の開示】
【発明が解決しようとする課題】
【０００４】
しかしながら、いずれの従来技術も、モータと可動物の間に１個又は１系統の歯車を介在させて役物の可動物を直線運動又は円運動に駆動することが一般的であり、動きが単純で趣向性に限界があった。また、２つ以上の可動部を駆動する場合には、駆動軸が複数になり、歯車等の機構部品点数が増大し、モータからの駆動力を役物に伝達する駆動機構にスペースをとるという問題があった。
【０００５】
そこで、本発明は、駆動機構と歯車を使用して趣向性の高い可動物の運動を実現するとともに、駆動機構のスペースを削減するパチンコ遊技機の役物軸機構を提供することを目的とする。
【課題を解決するための手段】
【０００６】
以上の課題に鑑み、本発明のパチンコ遊技機の役物軸機構（１）は、第１軸（２）に沿って可動１を行う第１可動部（３）と、第１可動部（３）の可動１を生じさせるように第１可動部（３）に駆動力を供給する駆動部（４）と、可動１に応じて可動２を行う複数の可動部を有する第２可動部（５）と、第１可動部（３）から第２可動部（５）に力を伝達する駆動力伝達機構と、を備え、この駆動力伝達機構が、第１可動部（３）又は第２可動部（５）のいずれか一方に設けられ、全部又は一部が相互に相違する形状の複数の雌部（６）と、第１可動部（３）又は第２可動部（５）のいずれか他方に設けられ、複数の雌部（６）とでそれぞれ摺動を行う複数の雄部（７）と、を備え、雌部（６）と雄部（７）の摺動により、前記第２可動部（５）の複数の可動部が相違する可動２を行うことを特徴とする。
【０００７】
ここでいう「可動」には、往復運動、回動運動、回転運動、又はそれらの組み合わせ等が挙げられる。「雄部」はピン、軸、凸部等が例示される。「雌部」は孔、穴、溝、凹部等が例示される。「相違する形態」の例としては、楕円形、長孔形、丸形、角形等の形状に関する相違、大きさの相違、形成方向の相違、幅の相違等が挙げられる。また、「摺動」は雄部と雌部とが擦れ合いながら相対的に動くの意味である。その例としては、所定方向（たとえば前後・左右方向、傾斜方向等）の摺動、回動しながらの所定方向の摺動等が挙げられる。一例として、雌部としての貫通孔に、雄部としてのピンが貫通していて、貫通孔の開口面積がピンの軸断面積よりも大きく、ピンが貫通孔内では自由に動き回れるものの、ピンの外径面と、貫通孔の周囲の壁とが擦れ合い、その動きが規制されるものが挙げられる。「個々に相違する可動２」は、各々の可動部の運動方向または運動量が相違することを意味する。たとえば、可動が回動運動の場合であれば、１つの可動部と他の可動部の回動方向が所定角度相違したり、１つの可動部と他の可動部の回動方向は同一であるが、その回動量が相違したり、１つの可動部と他の可動部の回動方向、回動量ともに相違する例が挙げられる。
【発明の効果】
【０００８】
請求項１の発明によれば、趣向性の高い多種多様な演出が可能となり、役物軸機構のスペースを小さくすることができるとともに、役物軸機構の機構部品点数を低減することができる。また、雌部や雄部の形態を変更することにより、演出の種類の変更が容易になり、多種多様な演出パターンを実現できる。
【発明を実施するための最良の形態】
【０００９】
以下、本発明の実施の形態に係るパチンコ遊技機の役物軸機構１について図１〜図６を参照して説明する。
【００１０】
本発明実施形態のパチンコ遊技機の役物軸機構１は、図１〜図５に示す通り、第１軸２に沿って直線的な往復運動である可動１を行う第１可動部３と、第１可動部３を駆動する駆動部４と、第１可動部３の可動１に伴い可動２を行う複数の可動部５１〜５３から構成される第２可動部５と、第１可動部３から第２可動部５に力を伝達することにより第２可動部５の可動を生じさせる駆動力伝達機構と、を備えている。この駆動力伝達機構が、第１可動部３に設けられ相互に相違する形態の複数の雌部６と、第２可動部５に設けられ複数の雌部６とそれぞれ摺動を行う雄部７と、を備えている。また、第１可動部３の可動１に伴い、雌部６の相違する形態に応じて、第２可動部５の複数の可動部が相違する独立的な可動２を個々に行う。第２可動部５を可動可能に取り付けた第２軸８が形成され、第２可動部５が第２軸８に沿って移動できる。また、この役物軸機構１を内蔵するように備えた役物２０の全体が図２〜図３に示されている。
【００１１】
なお、図１〜図３、図５に示す通り、第２可動部５に付随して連動する第３可動部９が設けてある。この第３可動部９は、縦方向に可動できるように軸８１と平行な第３軸１０に取り付けられている。第２可動部５と第３可動部９とを連結する連結機構を設けてある。この連結機構は、可動部５３の可動２を別の部材である第３可動部９の可動に変換するものであり、ピン１２と、ピン１２を受容する孔１３を備え第３軸１０に対して相対移動を許容させる軸孔部１４を備えたピン受部１５と、から構成されている。以下、実施形態の詳細な構造を説明する。
【００１２】
第１軸２は、図１〜図３、図５に示す通り、上下に間隙をおいて平行に配置された上軸２０及び下軸２１と、上軸２０と下軸２１の両端部を固定し支持する軸受部２２,２３とから構成されたものである。
【００１３】
第１可動部３は、図１〜図５に示す通り、複数（図では４個）の軸方向で垂直に配置される板状の構成片３０〜３３を備え、それらの構成片３０〜３３を一体に連結する連結片３４〜３６と、軸孔部３７、３８とを備えている。軸孔部３７は、複数の構成片３０〜３３のそれぞれの上部に設けられて上軸２０を貫装させ上軸２０と各構成片３０〜３３の軸方向の可動を許容するものである。軸孔部３８は、複数の構成片３０〜３３のそれぞれの下部に設けられて下軸２１を貫装させ下軸２１と各構成片３０〜３３の軸方向への可動を許容するものである。これにより、構成片３０〜３３が軸２０及び２１に対して矢印Ｘ方向の可動１を行うようになっている。さらに、構成片３０にはピン４４を遊嵌するため縦方向に形成された孔部３９を備えている。
【００１４】
駆動部４は、図１、図４に示す通り、モータ４０と、モータ４０を固定するため前方に配置される取付部４１と、モータ４０の軸により回転され中心軸が軸２０，２１と直交するように配置される歯車４２と、この歯車４２と同様の軸方向に配置され歯車４２と歯合する歯車４３と、歯車４３の中心から偏倚した位置に軸方向に前方に突設されたピン４４と、歯車４３の軸であって取付部４１に対して回動自在に取り付けられた軸４５と、を備えている。ピン４４が円運動を行うことにより構成片３０が軸方向Ｘに往復動を行う。構成片３０が他の構成片３１〜３３と一体になっているため、第１可動部３の全体が可動１を行う。
【００１５】
第２可動部５は、図１〜図５に示す通り、分割構成されて一体的に所定方向（ここでは横方向）に動くように連結された可動部５１，５２と、それらとは独立して別の方向（ここでは縦方向）に動く可動部５３と、を備えたものである。可動部５１，５２がそれぞれ軸孔部５１ａ，５２ａを備え、また、可動部５１に装飾部５１ｂ，５１ｃ，可動部５２に装飾部５２ｂ（図では葉の形状）を備えている。また連結部５５により軸孔部５１ａと５２ａとが連結されていることにより、可動部５１と可動部５２とは一体に動くようになっている。可動部５３が軸孔部５３ａを備え、また、装飾部５３ｂ（図では葉の形状）を備えている。可動部５１〜５２は、一体となってときにはＸ方向に移動しながら、方向Ｒに、軸８０の半径方向に回動し、また、可動部５３は、ときにはＺ方向に移動しながら、方向Ｔに、軸８１の半径方向に回動するよう構成されている。これにより、各々の可動部５１，５２と、可動部５３とが相互に相違する独立の動きを行い、これらの動きが可動２を構成する。なお、軸孔部５０ａが直接、軸孔部５１ａに連結され、なお、可動部５１，５２は同様の構造であるので、１つに削減してもよいし、可動部５１，５２の連結を解除し、可動部５１〜５３の全部を個々に独立させた可動部としてもよい。
【００１６】
雌部６は、図１〜図３、図５に示す通り、構成片３１軸方向に対して傾斜するような所定形状（ここでは小判形状）に貫通形成された長孔６１と、軸方向に対して長孔６１と同一方向に傾斜するように構成片３２に所定形状（ここでは小判形状等のスリット）に貫通形成された長孔６２と、構成片３３に所定形状（ここでは円形状）に貫通形成された丸孔６３と、を備えている。長孔６１と６２の形成方向（傾斜、水平、垂直など）、形状、大きさなどは相違させてもよい。
【００１７】
雄部７は、図１〜図３、図４に示す通り、ここではピンの形状であり、軸孔部５１ａから第１可動部３側に突出し長孔６１に遊嵌される凸部７１と、軸孔部５２ａから第１可動部３側に突出し長孔６２に遊嵌される凸部７２と、軸孔部５３ａから第１可動部３側に突出し長孔６３に遊嵌される凸部７３と、を備えている。図５に示す通り、凸部７１，７２はやや下方に傾斜して突出し、凸部７３は左横方向に傾斜して突出している。また、凸部７１〜７３は、孔６１〜６３内で自由に動き回るようにその形状、大きさ、位置が設定され、凸部７１〜７３の外径面が孔６１〜６３を区画する壁面と擦れ合って、相互に運動が規制される。このように雌部６に雄部７が遊嵌され、それらが協働して前記の摺動を行うことにより、複数の第２可動部５が個々に相違する独立的な可動２を行うように構成されている。凸部７１〜７３が図３に示す通り長孔６１，６２及び丸孔６３を貫通していることが好ましいが、反対面から突出しないようにしてもよい。
【００１８】
第２軸８は、図１〜図３に示す通り、上軸２０、下軸２１と所定距離を隔て平行に配置された軸８０と、軸８０と直交方向に交差する軸８１と、を備えている。軸８０が軸孔部５１ａ〜５２ａを貫通し、可動部５１〜５２が軸８０に沿って直線的に横方向に可動する。また、軸８１が軸孔部５３ａを貫通し、可動部５３が軸８１に沿って直線的に縦方向に可動する。
【００１９】
第３可動部９は、図１〜図３、図５に示す通り、装飾部９１ｂ、９１ｃ（図では葉の形状）を備えている。第３軸１０が軸孔部１４を貫通し、軸孔部１４の外径部から横方向に突出する突部１６に縦方向の孔１３が形成され、軸孔部５３ａから横方向に突出するＬ字形状のピン１２が孔１３に遊嵌されている。図ではクランクに類似した形態を採用している。
【００２０】
役物２５は、図２、図３に示す通り、役物軸機構１に遮蔽板２４を追加構成したものであり、役物軸機構１の下部構造を遊技者の視線から遮っている。
【００２１】
〔実施形態の動作〕
次に、実施形態に係る役物軸機構１を備えた役物２０の動作の一例につき図面を参照して説明する。役物軸機構１は必要に応じて遊技盤に対して縦置き、横置き、傾斜置きのいずれでも配置できる。
【００２２】
まず、図１〜図５の状態から、モータ４０が駆動し、歯車４３が回転し、ピン４４が回転すると、第１可動部３が軸受部２３側へ図５の矢印Ｘ1方向に可動１を行う（図５参照）。この可動１に伴い、雌部６と雄部７とが摺動を行い、これに応じて、第２可動部５が可動２を行う。すなわち、凸部７１、７２が長孔６１、６２内で規制されながら下方に押し下げられることにより、可動部５１，５２が一体となって矢印Ｘ1に移動しながら、図１の、矢印Ｒ方向に同期して回動する。このとき、可動部５１，５２が一体となって回動を伴わずに矢印Ｘ1にフリーな状態で移動することがある。例えば、凸部７１、７２が長孔６１、６２下端部まで達した後も、さらに、第１可動部３が移動した場合などである。凸部７３は、可動部５３の自重により、主に、丸孔６３の下半分の円周と摺動しながら移動し、これにより、可動部５３は、Ｔ方向に回動しながら、矢印Ｚ方向に対して上下移動する。
【００２３】
第２可動部５の可動部５３が回動を含む可動２を行うと、ピン１２の回動に随伴して、軸孔部１４が回動されながら軸１０を中心として可動する。これにより、第３可動部９が可動部５３と反対方向に回動する。
【００２４】
また一方、モータ４０がさらに駆動し、歯車４３が回転し、ピン４４が回転すると、第１可動部３が軸受部２３側へ図５の矢印Ｘ2方向に逆工程の可動１を行う（図５参照）。この可動１に伴い、前記とは逆工程の雌部６と雄部７との摺動を行い、これに応じて、第２可動部５が可動２を行う。すなわち、凸部７１、７２が長孔６１、６２内で規制されながら上方に押し上げられることにより、第２可動部５１，５２が一体となって矢印Ｘ2に移動しながら、図１の、矢印Ｒ方向に同期して、回動する。凸部７３は、可動部５３の自重により、主に、丸孔６３の上半分の円周と摺動しながら移動し、これにより、可動部５３は、矢印Ｔ方向に回動しながら、矢印Ｚ方向に対して上下移動する。
【００２５】
また、第２可動部５の可動部５３が前記したとは逆工程の回動を含む可動２を行うと、ピン１２の回動に随伴して、軸孔部１４が回動されながら軸１０を中心として可動する。これにより、第３可動部９が可動部５３と反対方向に回動する。
【００２６】
〔実施形態の効果〕
役物軸機構１の雌部と雄部の複数形態の摺動によって、第１可動部３の往復運動の可動１を第２可動部５の独立的な複数種類の回動運動を含む可動２に転換させることができれる。これにより、趣向性の高い多種多様な可動部５０〜５３の演出が可能となり、また、役物軸機構１のスペースを小さくすることができるとともに、役物軸機構１の歯車等の機構部品を低減することができる。また、雌部６や雄部７の形態を変更することで、演出の変更が容易になる。例えば、構成片３０〜３３の部品を取り替えることで、雌部６の形態が変更できる。また、凸部７１〜７３を形成した軸孔部５１ａ〜５３ａの部品を取り替えることで、雄部７の形態を変更できる。これにより、演出の種類の変更が容易になり、多種多様な演出パターンを実現できる。
【００２７】
また、従来、複数の回転軸に対応するモータ等が複数個必要であったが、モータの数も１個に減らすことができる。
【００２８】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。例えば、上記実施形態では、第１可動部３に雌部６を設け、第２可動部５に雄部７を設けたが、第１可動部３に雄部７を設け、第２可動部５に雌部６を設けた構造でもよい。これに伴い、軸２０，２１、軸８、装飾部の配置を変更することができる。実施形態では雌部６が貫通孔、雄部７が凸部を例示したが、雌部６を凹部、雄部７を凸部として構成してもよく、その他、種々なる形態で実施できることは無論である。凸部７１〜７３の形態は同一でも相違させたものでもよい。例えば、凸部７１〜７３の突出方向、断面積などは適宜設定でき、実施形態に限定されるものではなく、例えば、凸部７１〜７３の突出方向は同一方向でもよいし異なる方向でもよく、また、それらの断面積は適宜設定可能であり、さらに形状も実施形態に限定されることはない。ここでは、また、第１可動部３が直線的な往復動、第２可動部５が回動及び直線移動の組み合わせを例示したが、第２可動部５が回動のみを行う態様でもよい。可動部５１と５２とを一体に運動させたが、これらを独立に運動させてもよい。この場合、軸８０を分割してもよい。さらに、実施形態の第１可動部３の連結片３４〜３６を取り外し、モータ４０の他にモータを増設し、個々の構成片を独立的に駆動させたり、或いは、静止した構成片も付加するようにすれば、第２可動部５の動きが高度化し演出効果を高くすることが出来る。モータ４０の回転方向、及び／又は回転速度は適宜制御できることは無論である。
【図面の簡単な説明】
【００２９】
【図１】本発明実施形態の役物軸機構の分解斜視図である。
【図２】本発明実施形態の役物軸機構を備えた役物の別の角度から見た斜視図である。
【図３】同役物のさらに異なる別の角度から見た斜視図である。
【図４】本発明実施形態の役物軸機構の片側を斜め上側から見た拡大斜視図である。
【図５】同役物軸機構の正面図である。
【符号の説明】
【００３０】
１・・・パチンコ遊技機の役物軸機構  ２・・・第１軸  ２０・・・上軸
２１・・・下軸  ３・・・第１可動部  ３０〜３３・・・複数の構成片
３４〜３６・・・連結片  ３７・・・軸孔部  ３８・・・軸孔部  ３９・・・孔部
４・・・駆動部  ４０・・・モータ  ４１・・・取付部  ４２，４３・・・歯車
４４・・・ピン  ４５・・・軸  ５・・・第２可動部  ５１〜５３・・・可動部
５１ａ〜５３ａ・・・軸孔部  ５１ｂ，ｃ，５２ｂ，５３ｂ・・・装飾部
５５・・・連結部  ６・・・雌部  ６１，６２・・・長孔  ６３・・・丸孔
７・・・雄部  ７１,７２,７３・・・凸部  ８・・・第２軸  ９・・・第３可動部
１０・・・第３軸  １２・・・ピン  １３・・・孔  １４・・・軸孔部
２２,２３・・・軸受部  ２４・・・遮蔽板  ２５・・・役物
【図１】
2009172062.tif 000003
【図２】
2009172062.tif 000004
【図３】
2009172062.tif 000005
【図４】
2009172062.tif 000006
【図５】
2009172062.tif 000007